(57)【要約】【課題】燃料の供給量を調整する比例弁の電源供給スイッチの故障を簡単に検出する。【解決手段】燃焼装置は、燃焼部への燃料供給量を調整するために開度が可変に制御される比例弁と、比例弁の駆動回路と、駆動回路を制御する制御部とを備えた燃焼装置であって、駆動回路は、切替指令に従い、駆動回路への電源の供給と停止を切替える電源供給スイッチと、比例弁の開度を変化させるための比例弁コイル（２３）と、、比例弁コイルに流れる電流量を変化させる電流調整部と、比例弁コイルに流れる電流を検出するための検出端子（２６）とを直列接続し、制御部は、運転開始指示を受付けると、電源供給スイッチに供給停止の切替指令を出力し、且つ電流調整部に対して電流指令を出力し、これら指令の出力状態において、検出端子の検出電流から、電源供給スイッチの故障を判定する。【選択図】図１
2015209980.tif 000002
【特許請求の範囲】
【請求項１】
燃焼部への燃料供給量を調整するために開度が可変に制御される比例弁と、
前記比例弁の駆動回路と、
前記駆動回路を制御する制御部とを備えた燃焼装置であって、
前記駆動回路は、
切替指令に従い、前記駆動回路への電源の供給と停止を切替える電源供給スイッチと、
前記比例弁の開度を変化させるための比例弁コイルと、
前記比例弁コイルに流れる電流量を変化させる電流調整部と、
前記比例弁コイルに流れる電流を検出するための検出端子とを含み、且つこれらを直列接続し、
前記制御部は、
運転開始指示を受付けると、前記燃焼部の燃焼開始に先立って、前記電源供給スイッチに供給停止の切替指令を出力し、且つ前記電流調整部に対して前記比例弁コイルに予め定めた電流量が供給されるように制御するための電流指令を出力し、これら指令の出力状態において、前記検出端子における検出電流から、前記電源供給スイッチの故障を判定するように構成される、燃焼装置。
【請求項２】
前記燃焼装置は、
前記制御部と前記電流調整部とを接続する信号線に関連して設けられて、且つキャンセル指令が与えられるときに、当該信号線に出力される前記電流指令をキャンセルするキャンセル部を、さらに備え、
前記制御部は、
前記電流指令の出力状態において、前記キャンセル部に対しキャンセル指令を出力しない場合に、前記検出端子における検出電流から、前記電源供給スイッチの故障を判定するように構成される、請求項１に記載の燃焼装置。
【請求項３】
前記キャンセル部は、一方端が前記信号線に接続され且つ他方端が接地される開閉制御可能なキャンセルスイッチであって、
前記電流指令の出力状態の期間は第１期間およびその後の第２期間を含み、
前記制御部は、前記電流指令の出力状態の第１期間において、前記キャンセル指令を出力停止して前記キャンセルスイッチを開状態に制御し、その後の第２期間において、前記キャンセル指令を出力して前記キャンセルスイッチを閉状態に制御するように構成されて、
前記制御部は、さらに、前記第１期間における前記検出端子の検出電流から、前記電源供給スイッチの故障を判定するように構成される、請求項２に記載の燃焼装置。
【請求項４】
前記制御部は、
前記電源供給スイッチが故障していない場合に、前記第２期間における前記検出端子の検出電流から、前記キャンセル部の故障を判定するように構成される、請求項３に記載の燃焼装置。
【請求項５】
前記制御部は、前記キャンセル部の故障の判定結果を報知するように構成される、請求項２から４のいずれか１項に記載の燃焼装置。
【請求項６】
前記制御部は、前記電源供給スイッチの故障の判定結果を報知するように構成される、請求項１から５のいずれか１項に記載の燃焼装置。
【発明の詳細な説明】
【技術分野】
【０００１】
本発明は燃焼装置に関し、特に、ガス等の燃料の供給量を調整する機能を有した燃焼装置に関する。
【背景技術】
【０００２】
従来、ガス燃焼装置のガス漏れ等を防止する機能を有したものとして、特許文献１（特公平７−１３５３４号公報）では、ガス器具等において半導体スイッチの短絡故障を検出する故障検出回路をガスの安全弁に直列に接続されている各半導体スイッチに設けて、各故障検出回路の検出信号によって互いに他方の半導体スイッチをオフとするように構成する。
【０００３】
また、特許文献２（特開２００８−１１６１５４号公報）では、熱源供給手段であるガス比例弁に過電流が流れた際に制御手段により、熱源供給制御手段への電源供給を停止することで、熱源供給制御手段の過熱を防止する構成が開示される。
【０００４】
また、特許文献３（特開２０１０−２７０９４８号公報）では、ガスバーナのガス供給経路に第１と第２の開閉電磁弁と比例電磁弁とを介設したガス燃焼装置において、運転スイッチがオフされた時に、第１および第２開閉電磁弁の一方を閉弁してから所定の遅延時間後に他方を閉弁させ、遅延時間中にガスバーナが消火されたか否かを判別するように構成される。
【先行技術文献】
【特許文献】
【０００５】
【特許文献１】特公平７−１３５３４号公報
【特許文献２】特開２００８−１１６１５４号公報
【特許文献３】特開２０１０−２７０９４８号公報
【発明の概要】
【発明が解決しようとする課題】
【０００６】
ここで、ガスファンヒータ等では、リレー回路（ガス比例弁への電源供給ラインに介挿されたスイッチ）の接点固着を検出するために専用回路を設けていたので、部品点数が多くなるとの課題を有していた。
【０００７】
しかしながら、特許文献１はスイッチの故障検出のために、特別の故障検出回路を必要とし、また、特許文献３では、ガスバーナの消火を確認するが、回路の故障検出をするための構成は開示しない。また、特許文献２では、過電流を検出するもののガス比例弁への電源供給ラインに介挿されたスイッチの故障を検出するとの構成は開示しない。
【０００８】
それゆえに本発明の目的は、燃料の供給量を調整する比例弁の電源供給スイッチの故障を簡単に検出することのできる燃焼装置を提供することである。
【課題を解決するための手段】
【０００９】
この発明のある局面に従うと燃焼装置は、燃焼部への燃料供給量を調整するために開度が可変に制御される比例弁と、比例弁の駆動回路と、駆動回路を制御する制御部とを備えた燃焼装置であって、駆動回路は、切替指令に従い、駆動回路への電源の供給と停止を切替える電源供給スイッチと、比例弁の開度を変化させるための比例弁コイル、比例弁コイルに流れる電流量を変化させる電流調整部と、比例弁コイルに流れる電流を検出するための検出端子とを含み、且つこれらを直列接続し、制御部は、運転開始指示を受付けると、燃焼部の燃焼開始に先立って、電源供給スイッチに供給停止の切替指令を出力し、且つ電流調整部に対して比例弁コイルに予め定めた電流量が供給されるように制御するための電流指令を出力し、これら指令の出力状態において、検出端子における検出電流から、電源供給スイッチの故障を判定するように構成される。
【００１０】
好ましくは、燃焼装置は、制御部と電流調整部とを接続する信号線に関連して設けられて、且つキャンセル指令が与えられるときに、当該信号線に出力される前記電流指令をキャンセルするキャンセル部を、さらに備え、制御部は、電流指令の出力状態において、キャンセル部に対しキャンセル指令を出力しない場合に、検出端子における検出電流から、電源供給スイッチの故障を判定するように構成される。
【００１１】
好ましくは、キャンセル部は、一方端が信号線に接続され且つ他方端が接地される開閉制御可能なキャンセルスイッチであって、指令の出力状態の期間は第１期間およびその後の第２期間を含み、制御部は、電流指令の出力状態の第１期間において、キャンセル指令を出力停止してキャンセルスイッチを開状態に制御し、その後の第２期間において、キャンセル指令を出力してキャンセルスイッチを閉状態に制御するように構成されて、制御部は、さらに、第１期間における検出端子の検出電流から、電源供給スイッチの故障を判定するように構成される。
【００１２】
好ましくは、制御部は、電源供給スイッチが故障していない場合に、第２期間における検出端子の検出電流から、キャンセル部の故障を判定するように構成される。
【００１３】
好ましくは、制御部は、キャンセル部の故障の判定結果を報知する、または、電源供給スイッチの故障の判定結果を報知するように構成される。
【発明の効果】
【００１４】
本発明によれば、運転開始指示を受付けると、上述の電源供給スイッチに供給停止の切替指令、且つ上述の電流指令を出力した状態を設定して、検出端子における検出電流から、電源供給スイッチの故障を簡単に検出することができる。
【図面の簡単な説明】
【００１５】
【図１】本発明の実施の形態に係る回路構成の一例を示す図である。
【図２】本発明の実施の形態に係る制御部の構成図である。
【図３】本発明の実施の形態に係るタイミングチャートを示す図である。
【図４】本発明の実施の形態に係るガスファンヒータの構成例を示す図である。
【図５】本発明の実施の形態に係る変形例を示す図である。
【発明を実施するための形態】
【００１６】
以下、この発明の実施の形態について図面を参照し詳細に説明する。なお、図中同一符号については同一または相当部分を示し、説明は繰返さない。
【００１７】
本実施の形態では、燃焼用の燃料（例えば、ガス）の供給量を調整する比例弁と、比例弁の駆動回路と、駆動回路の制御を行なう制御部とを備えた燃焼装置において、駆動回路として、比例弁コイルと、当該比例弁コイルへの電源の供給と停止とを切替える電源供給スイッチと、比例弁コイルに流れる電流量の調整を行う電流調整部と、比例弁コイルに流れる電流量を検出する検出端子とが、直列に接続される回路を備える。
【００１８】
制御部は、燃焼運転の開始時に、電源供給スイッチを開成状態への切替指令を出力したまま、電流調整スイッチを所定の電流指令値で制御したときに、検出端子で検出される電流量が予め定めた値以上であるとき、電源供給スイッチの故障（ＯＮ故障）であると判定する。
【００１９】
図１は、本発明の実施の形態に係る回路構成の一例を示す図である。図２は、本発明の実施の形態に係る制御部の構成図である。図３は、本発明の実施の形態に係るタイミングチャートを示す図である。
【００２０】
図４には、本発明が適用可能な燃焼装置の一例として、ガスファンヒータの構成例が示される。公知のように、ガスファンヒータは、燃料であるガスの燃焼熱によって得られた温風を出力することにより温風暖房を行なうものである。
【００２１】
図４を参照して、ガスファンヒータ５０は、外装ケース６６と、天板７４と、底板７５とで機器の外装を構成する。外装ケース６６は、温風吹出口６５および空気吸入口６７を有する。空気吸入口６７にはエアーフィルタ６８が設けられている。空気吸入口６７の近傍には、室温検出器６９が設けられる。電源プラグ８６が図示しないコンセントに挿入されると、ガスファンヒータ５０の各部に電力が供給される。
【００２２】
外装ケース６６の内部には、燃焼部を構成するガスバーナ６１、燃焼室６２、送風ファン６３、ファンモータ６４および点火装置７７が設けられる。送風ファン６３に関連して、駆動用のファンモータ６４およびファンモータ６４の回転数検出器８０が設けられている。
【００２３】
ガスバーナ６１において燃料ガスと送風ファン６３により送り込まれた空気とが混合されて燃焼動作が実施される。
【００２４】
燃焼室６２の上面および前面には、蓋板７８が設けられている。ファンケース７９は、送風ファン６３からの温風を、温風吹出口６５に導くように構成される。
【００２５】
外装ケース６６は、背面下部に、燃焼ガスを内部に供給するためのガス接続口８１を有し、ガス接続口８１へ供給された燃焼ガスは、ガスを供給／遮断するために開閉制御される電磁弁４５、ガス圧（すなわち、単位時間あたりのガス量）を調整するための比例弁２５、およびガス配管８４を経由してガスバーナ６１へ供給される。電磁弁４５はいわゆるガスの元栓に相当し、比例弁２５は、開度が可変に制御されて、電磁弁４５からガスバーナ６１へのガス供給量を調整する調整弁に相当する。
【００２６】
天板７４の前方部には、操作表示部１６が設けられる。操作表示部１６は、運転の開始／停止の指示、温風の供給条件の設定指示等を入力するために操作される各種スイッチ等からなる操作部１４（後述する）および各種情報を出力するための液晶等の表示部１５（後述する）およびＬＥＤ（Light Emitting Diode）などのランプ等を含む。
【００２７】
操作表示部１６の下部には、各スイッチや表示器を設置した操作表示回路７３ａが設けられる。操作表示部１６には、目詰まり表示器７１が設けられる。目詰まりは、温度検出器７０によって検出された燃焼室温度に基づいて、エアーフィルタ６８の目詰まりが検出され、目詰まりの発生は、目詰まり表示器７１によって、ユーザに報知される。
【００２８】
上述の各部は制御基板（図示せず）に搭載された後述するマイコン（マイクロコンピュータの略）１０（後述する）により制御される。マイコン１０は、ガスファンヒータ５０を集中的に制御および監視するための制御部に相当する。
【００２９】
燃焼動作を簡単に説明すると、マイコン１０は、電磁弁４５を開成状態に設定し、内部へのガス供給を可能にする。そして、設定温度と、室温検出器６９によって検出された室温との差に応じて、ガスバーナ６１での目標発生熱量、すなわち、ガス燃焼量を設定する。マイコン１０は、設定したガス燃焼量に応じて、比例弁２５の開度を制御する。これによりガスバーナ６１による燃焼量が可変に制御されて、目標温度の温風を送出することができる。
【００３０】
次に、図１を参照して比例弁２５および電磁弁４５の周辺回路を説明する。周辺回路は比例弁２５の駆動回路、電磁弁４５の駆動回路およびこれら駆動回路を制御するマイコン１０を備える。比例弁２５の駆動回路は、比例弁コイル２３、電源部２２から比例弁コイル２３への電流の供給と停止とを切替えるように開閉制御されるトランジスタ回路を含んで構成されるコモン回路（電源供給スイッチに相当）２０、比例弁コイル２３に流れる電流量を調整するための部分、および比例弁コイル２３に流れる電流量を検出するための検出端子２６を直列に接続した回路を含む。電源部２２とコモン回路２０との間には、過熱防止のための温度ヒューズ２１が接続される。
【００３１】
電流量を調整するための部分は、可変抵抗部２４を含む。可変抵抗部２４は、バイポーラトランジスタ回路を含んで構成される電圧制御型可変抵抗に相当する。可変抵抗部２４は、比例弁開度調整信号Ｓ２がベース端子に与えられる期間は予め定めた抵抗値を有するが、比例弁開度調整信号Ｓ２が与えられない期間は、例えば無限大抵抗となって、以降の回路に対してコモン回路２０からの電流を流さないように動作する。
【００３２】
また、図１の回路は、マイコン１０が比例弁開度調整信号Ｓ２を可変抵抗部２４に出力する信号線に関連して、キャンセルスイッチ３０を備える。キャンセルスイッチ３０は、可変抵抗部２４のトランジスタのベース電圧を完全にＯＦＦにして、比例弁２５を全閉状態とするため等に設けられた既存の回路である。
【００３３】
キャンセルスイッチ３０は信号線に出力される比例弁開度調整信号Ｓ２を、マイコン１０からのキャンセル指令Ｓ３に従ってキャンセルするキャンセル部に相当する。具体的には、キャンセルスイッチ３０は、２つの端子を有した開閉自在のスイッチであって、一方端子は当該信号線に接続されて、他方端子は接地側に接続される。キャンセルスイッチ３０は、マイコン１０からレベル“ＯＮ”のキャンセル指令Ｓ３を入力する期間は開状態に制御されて両端子間は非導通状態（すなわちスイッチ開状態）となり、信号線上の比例弁開度調整信号Ｓ２はキャンセルされずに可変抵抗部２４に供給される。一方、レベル“ＯＦＦ”のキャンセル指令Ｓ３を入力する期間は閉状態に制御されて、両端子間は導通状態となる。この導通状態では、信号線上の比例弁開度調整信号Ｓ２は閉じたキャンセルスイッチ３０を経由して接地側に導出されて、可変抵抗部２４には供給されない（キャンセルされる）。
【００３４】
電磁弁４５の駆動回路は励磁コイル４３、電源部４２から励磁コイル４３への電流の供給と停止とを切替えるように開閉制御されるトランジスタ回路を含んで構成されるコモン回路（電源供給スイッチに相当）４０、励磁コイル４３に流れる電流量を検出するための検出端子４４、および切替えスイッチ４６を直列に接続した回路を含む。切替えスイッチ４６は、電磁弁４５の励磁コイル４３の通電と通電停止を切替えるスイッチ（より具体的には電界効果型トランジスタを含んで構成されたスイッチ）である。
【００３５】
周辺回路は、さらに、検出端子２６に関連した検出回路２７および検出端子４４に関連した監視回路４７を含む。検出回路２７は、検出端子２６の電位信号Ｓ４に基づいて電流値（単位：ｍＡ）を示す信号Ｓ４１を取得し、マイコン１０に出力する。同様に、監視回路４７は、検出端子４４における検出電圧から電圧値を示す電磁弁監視信号Ｓ８を取得し、マイコン１０に出力する。
【００３６】
周辺回路は、さらに、コモン回路２０とコモン回路４０のトランジスタスイッチを開閉制御するためのＳＷ（switchの略）制御回路２９を含む。ＳＷ制御回路２９は、マイコン１０から予め定めたDuty比（例えば、８０Ｈｚ）のＰＷＭ（pulse width modulation）信号Ｓ５を受信すると、信号Ｓ５２およびＳ５４を生成して、コモン回路２０およびコモン回路４０それぞれに出力する。また、ＳＷ制御回路２９はＰＷＭ信号Ｓ５を入力しないとき、またはＰＷＭ信号Ｓ５が予め定めたDuty比を有しないと判定したときは、信号Ｓ５２および信号Ｓ５４の出力を停止する。
【００３７】
コモン回路２０は信号Ｓ５２が供給される期間はスイッチを閉じて、比例弁２５の駆動回路に電源供給し、信号Ｓ５２が供給されなくなると、スイッチを開いて当該直列回路への電源を遮断する。同様に、コモン回路４０は信号Ｓ５４が供給される期間はスイッチを閉じて電磁弁４５の直列回路に電源供給し、信号Ｓ５４が供給されなくなるとスイッチを開いて当該直列回路への電源を遮断する。このように、コモン回路２０とコモン回路４０それぞれは、ＰＷＭ信号Ｓ５に相当する切替指令に従い、対応する直列回路（弁の駆動回路）への電流の供給と停止とを切替える電源供給スイッチに相当する。
【００３８】
図２を参照して、マイコン１０は、ＣＰＵ（Central Processing Unit）１１、プログラムおよびデータを記憶するための揮発性および不揮発性の記憶デバイスからなるメモリ部１２、他の各部と信号を入出力するためのインターフェイス部１３および操作表示部１６を備える。
【００３９】
ここで、マイコン１０は、操作部１４の運転スイッチ（図示せず）がＯＮ操作されると運転開始するために上記のＰＷＭ信号Ｓ５の出力を開始し、比例弁信号と電磁弁信号Ｓ７を出力する。これにより、比例弁２５と電磁弁４５には開閉動作するための電源が供給される。また、比例弁開度調整信号Ｓ２を可変抵抗部２４に出力して、その抵抗値を予め定めた値に設定して、比例弁コイル２３に流れる電流量を可変に調整して、比例弁２５の開度を調整する。これにより、ガスが供給開始されて燃焼動作が可能になる。運転中は、マイコン１０は、目標温度となるよう比例弁開度を決定し、この比例弁開度と信号Ｓ４１が示す比例弁コイル２３の現在電流値とから、制御のための電流量を決定し、決定した電流量が比例弁コイル２３に流れるように比例弁開度調整信号Ｓ２を生成して出力する。これにより、運転時は目標温度となるように比例弁２５の開度が調整される。なお、運転中は、マイコン１０は比例弁電流の信号Ｓ４１に基づき異常電流が流れていないかも監視する。
【００４０】
マイコン１０は、操作部１４から運転スイッチのＯＦＦ操作を検出すると、ＰＷＭ信号Ｓ５の出力を停止する。したがって、比例弁２５および電磁弁４５は全閉状態となって、すなわち２重の安全弁となってガス供給は遮断されて、燃焼動作は停止し、運転は停止する。
【００４１】
しかしながら、コモン回路２０が短絡（ショート）故障等して接点固着（これを、ＯＮ故障ともいう）している場合には、運転スイッチがＯＦＦ操作されて、ＰＷＭ信号Ｓ５の出力停止の場合、すなわち信号Ｓ５２の出力停止によるガス供給停止の切替指令が与えられた場合であっても、コモン回路２０のスイッチは閉→開と変化しない。本実施の形態では、比例弁２５の既存の駆動回路を用いて、コモン回路２０のＯＮ故障を検出する。
【００４２】
次に、ガスファンヒータ５０の運転開始時において、コモン回路２０のＯＮ故障を検出する処理を、図３のタイミングチャートを参照して説明する。なお、この処理は、メモリ部１２に格納されたプログラムと回路との組み合わせからなり、ＣＰＵ１１は、メモリ部１２からプログラムを読出し、実行することで処理を実現する。
【００４３】
図３を参照して、電源プラグ８６を介してコモン回路２０とコモン回路４０は、対応の電源部２２と電源部４２それぞれから電源供給されている状態において、ユーザが操作部１４の運転開始スイッチをＯＮ操作すると、ＣＰＵ１１は、操作部１４からＯＮ操作による運転開始指示を受付けて、操作表示部１６の運転ランプを点灯する。
【００４４】
また、ＯＮ操作を受けて、ＣＰＵ１１は、定めた電圧値を示す比例弁開度調整信号Ｓ２を可変抵抗部２４に出力する（図３のタイミングＴ１参照）。比例弁開度調整信号Ｓ２は、可変抵抗部２４の抵抗値を可変に制御し、これにより比例弁コイル２３に流れる電流量を変化させるための電流指令に相当する。マイコン１０と可変抵抗部２４とを接続する信号ライン上には、図示しないが容量性素子および増幅回路等の時定数を有した回路が介在し、それゆえに可変抵抗部２４に供給される弁開度調整信号Ｓ２が当該予め定めた電圧値に達するまでには比例弁開度調整信号Ｓ２の出力開始から期間（期間ＴＳ１＋期間ＴＳ２）だけ遅延する。この遅延期間の長さは、回路定数により決まる。
【００４５】
本実施の形態では、上述の遅延期間を利用してコモン回路２０のＯＮ故障を検出する。まず、ＣＰＵ１１は、上記の比例弁開度調整信号Ｓ２を出力すると、キャンセル指令Ｓ３を出力する（タイミングＴ２参照）。レベル“ＯＮ”のキャンセル指令Ｓ３は、遅延期間の一部期間ＴＳ１において出力される。
【００４６】
ＣＰＵ１１は、遅延期間におけるＰＷＭ信号Ｓ５が出力開始される前におけるキャンセル指令Ｓ３を出力する期間ＴＳ１において、検出端子２６を流れる電流の大きさを示す信号Ｓ４１からＯＮ故障を判定する。具体的には、信号Ｓ４１が示す電流値と、予め定めた値とを比較する。そして、比較から（検出電流値＞予め定めた値）の条件が成立すると判定したとき、コモン回路２０のＯＮ故障であると判定する。この条件が成立しないと判定したときＯＮ故障ではないと判定する。例えば、信号Ｓ４１の検出電流値が１００ｍＡを規定時間連続して示すときはＯＮ故障であると判定し、そうでないときはＯＮ故障でないと判定する。なお、故障判定条件のための基準となる電流値は、回路定数により決まり、予め実験等で取得されてメモリ部１２に格納される。
【００４７】
ＯＮ故障であると判定したとき、ＣＰＵ１１は、操作表示部１６に、運転ランプ消灯および故障ランプ点灯を実施させる。また、ＰＷＭ信号Ｓ５のその後の出力を取りやめて、少なくとも元栓である電磁弁４５を全閉に保つ（ファンは予め定めた時間だけ回転させる）。これにより、コモン回路２０のＯＮ故障を検出して、生ガス放出を回避することができる。
【００４８】
一方、上記の条件が成立しない、すなわちコモン回路２０はＯＮ故障していないと判定すると、ＣＰＵ１１は、遅延期間の残り期間ＴＳ２においてキャンセル指令Ｓ３の出力を停止し（レベル“ＯＮ”→“ＯＦＦ”）、ＰＷＭ信号Ｓ５の出力を開始し（タイミングＴ３参照）、コモン回路２０とコモン回路４０を閉状態に切替える。これにより、対応する直列回路のそれぞれに電流が供給開始されて、燃焼動作を実施可能な状態にする。
【００４９】
上述の遅延期間を経過すると、キャンセル指令Ｓ３を“ＯＮ”に変更する（タイミングＴ４参照）。したがって、以降の運転期間中は、比例弁２５の開閉動作は可能であり、ＣＰＵ１１は、比例弁開度調整信号Ｓ２により比例弁２５の開度を調整する。
【００５０】
本実施の形態では、キャンセルスイッチ３０の故障も検出することができる。つまり遅延期間のうちの期間ＴＳ２では、すなわちＯＮ故障でないことが判定されてキャンセル指令Ｓ３は“ＯＦＦ”、比例弁開度調整信号Ｓ２およびＰＷＭ信号Ｓ５の出力されている期間では、キャンセルスイッチ３０は閉状態のままであるから、検出端子２６において電流は検出されないはずである。ＣＰＵ１１は、期間ＴＳ２において、検出端子２６の電流を示す信号Ｓ４１の値について（検出電流値＞閾値）の条件が成立するか否かを判定する。成立すると判定したとき、キャンセルスイッチ３０の故障であると判定する。この場合にも、ＣＰＵ１１は、操作表示部１６に運転ランプ消灯および故障ランプ点灯を実施させて、ＰＷＭ信号Ｓ５の出力を取りやめて、少なくとも元栓である電磁弁４５を全閉に保つ（ファンは予め定めた時間だけ回転させる）。これにより、キャンセルスイッチ３０の故障を検出し、また報知することができる。
【００５１】
コモン回路２０のＯＮ故障またはキャンセルスイッチ３０の故障が検出されなかった場合には、その後の燃焼動作を開始するために、ＣＰＵ１１は、ファンを予め定めた期間ｔｓ１だけ回転駆動しガスファンヒータ５０内のガスを排出（プリパージ）する。その後の期間ｔｓ２においてプレイグニッションを実施し、その後、電磁弁信号Ｓ７を出力し、電磁弁４５に電源供給する。これにより、ガス元栓の電磁弁４５が開き、また比例弁２５の開度調整が実施されて、目標温度となるような燃焼動作が可能となる。
【００５２】
本実施の形態によれば、何ら特別な故障検出回路を追加せずに、通常の燃焼運転に用いる図１の回路を用いることでコモン回路２０のＯＮ故障を検出することができる。
【００５３】
また、運転開始スイッチが操作されて運転開始指示を受付けて、燃焼部の燃焼開始に先立つ期間における、比例弁開度調整可能なレベルの電流が比例弁コイル２３に供給されるまでの所要時間（遅延期間）において、コモン回路２０のＯＮ故障検出を実施することができる。したがって、運転開始時にＯＮ故障検出を実施するとしても燃焼開始が遅くなることはないから、ガスファンヒータ５０の速暖効果が損なわれない。
【００５４】
図１では、コモン回路２０とコモン回路４０は、電源部４２（ＤＣ１５Ｖ）と電源部２２（ＤＣ２２Ｖ）それぞれから電源供給される別電源とすることで、各電源部は対応の回路を駆動するだけの電圧レベルを有すればよいから、両方のコモン回路について共通した電源部を用いる場合に比べて、消費電力量を低減することができる。
【００５５】
（他の実施の形態）
上述した実施の形態の変形例として、他の実施の形態を説明する。
【００５６】
図５には、図１の構成の変形例が示される。図５の回路は、図１のキャンセルスイッチ３０に代替して、キャンセルスイッチ３０と等価の機能を有した比例弁開閉スイッチ２８を備える。比例弁開閉スイッチ２８は、可変抵抗部２４と検出端子２６との間に直列に介挿される。図５の他の構成は、図１と同様であるから説明を繰返さない。
【００５７】
動作において、比例弁開閉スイッチ２８は、マイコン１０から与えられる比例弁ＯＮ／ＯＦＦ指令Ｓ３１が“ＯＮ”であるときは閉じて、コモン回路２０からの電流を以降の検出端子２６に導出させるが、“ＯＦＦ”であるときは開状態となって、コモン回路２０からの電流を遮断する。このように、比例弁ＯＮ／ＯＦＦ指令Ｓ３１に従う比例弁開閉スイッチ２８の電流供給／停止の切替え動作は、キャンセル指令Ｓ３に従うキャンセルスイッチ３０の弁開度調整信号Ｓ２をキャンセルするか否かの切替え動作と等価となる。したがって、キャンセルスイッチ３０を用いた図５の構成であっても、上述した実施の形態と同様にコモン回路２０の故障検出または比例弁開閉スイッチ２８の故障検出が可能となる。
【００５８】
なお、比例弁開閉スイッチ２８とキャンセルスイッチ３０の両方を含んで回路が構成されるとしてもよい。その場合には、マイコン１０は、キャンセルスイッチ３０または比例弁開閉スイッチ２８の一方に対してのみ、キャンセル指令Ｓ３または比例弁ＯＮ／ＯＦＦ指令Ｓ３１の対応する一方を用いて選択的に駆動することで、上述と同様に、コモン回路２０の故障検出とキャンセルスイッチ３０（または比例弁開閉スイッチ２８）の故障検出を行ない、その旨を報知することが可能となる。
【００５９】
（変形例）
本実施の形態では、コモン回路２０およびキャンセルスイッチ３０（または比例弁開閉スイッチ２８）の故障の判定結果は、操作表示部１６のＬＥＤ等のランプ点灯により報知したが、報知のための出力部は、ＬＥＤ等のランプに限定されず表示部１５からのメッセージ出力、または図示しないスピーカ等からの音声出力であってもよい。
【００６０】
また、図３では、ＣＰＵ１１は、操作部１４からのユーザＯＮ操作によって運転開始指示を受付けたとしたが、ガスファンヒータ５０がタイマ予約運転される場合には、予約時間を計時する内部タイマ（図示せず）から入力するとしてもよい。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１０  マイコン、１４  操作部、１５  表示部、１６  操作表示部、２０，４０  コモン回路、２２，４２  電源部、２３  比例弁コイル、２４  可変抵抗部、２５  比例弁、２６，４４  検出端子、２７  検出回路、４７  監視回路、２９  ＳＷ制御回路、３０  キャンセルスイッチ、３１  キャンセル指令、４３  励磁コイル、４５  電磁弁、５０  ガスファンヒータ、８６  電源プラグ。
【図１】
2015209980.tif 000003
【図２】
2015209980.tif 000004
【図３】
2015209980.tif 000005
【図４】
2015209980.tif 000006
【図５】
2015209980.tif 000007